(57)【要約】  【課題】ＬＥＤの電気配線の伸縮や折れ曲がり等による故障の発生を防止する。  【解決手段】正面に開口部１２を有する直方体箱形状の本体１１と、本体１１の開口部１２に対して前後動する複数個の引出し１４と、本体１１と引出し１４とを施錠および解錠する電気錠２２とを備えた収納キャビネット１０において、本体１１にＬＥＤ３０を設け、引出し１４の前板１５にＬＥＤ３０からの発光３１を前板１５の正面側に導く導光路棒４１を設ける。ＬＥＤ３０に電力を供給するための電気配線等の機械的な構造物が本体１１と引出し１４との間に配線されないので、その電気配線等の伸縮や折れ曲がり等のによる故障が発生するのを防止することができる。  【選択図】図２
2006312816.tif 000002
【特許請求の範囲】
【請求項１】
正面に開口部を有する箱形状の本体と、この本体の前記開口部に対して前後動する可動体と、前記本体と前記可動体とを施錠および解錠する電気錠とを備えている収納キャビネットにおいて、
前記本体には発光装置が設けられており、前記可動体の一部には前記発光装置からの発光を前記可動体の正面側に導く導光路が設けられていることを特徴とする収納キャビネット。
【請求項２】
前記導光路が光を透過する導光路部材によって構成されていることを特徴とする請求項１に記載の収納キャビネット。
【請求項３】
前記導光路が透孔によって構成されていることを特徴とする請求項１に記載の収納キャビネット。
【請求項４】
前記発光装置からの発光を拡散または散乱する屈折部が前記導光路に設けられていることを特徴とする請求項１、２または３に記載の収納キャビネット。
【請求項５】
前記発光装置が前記電気錠に一体的に組み付けられていることを特徴とする請求項１、２、３または４に記載の収納キャビネット。
【請求項６】
前記発光装置としてＬＥＤが使用されていることを特徴とする請求項１、２、３、４または５に記載の収納キャビネット。
【発明の詳細な説明】
【技術分野】
【０００１】
本発明は、収納キャビネットに関し、特に、施錠状態および解錠状態を視認可能とする技術に係り、例えば、オフィスやトランクルームおよび貸し金庫等々において使用するのに好適なものに関する。
【背景技術】
【０００２】
近年、オフィスやトランクルームおよび貸し金庫等々においては、複数の収納キャビネットを電磁波や赤外線等を使用して遠隔操作によって施錠および解錠するシステムが開発されている。
このようなシステムにおいては、いくつもの鍵を常に持参する必要がなく、収納キャビネットから離れた場所から施錠および解錠を操作することができるので、安全かつ便利である。
【０００３】
ところが、このようなシステムにおいては、管理する収納キャビネットの数が増大すると、何処の収納キャビネットが施錠または解錠されたかを視認することが困難になる。
そこで、このようなシステムに使用される収納キャビネットとして、電気錠に連携して点灯および消灯するランプを備えたものが提案されている。例えば、特許文献１参照。
【０００４】
【特許文献１】特開２００４−２５０９５２号公報
【発明の開示】
【発明が解決しようとする課題】
【０００５】
しかし、従来のこの種の収納キャビネットにおいては、ランプは外部から視認することができるように構成する必要があることにより、ランプは収納キャビネットにおける引出しの前板や扉等の可動体に配置されているために、電気配線の伸縮や折れ曲がり等によって故障が発生するという問題点がある。
【０００６】
本発明の目的は、ランプの電気配線の伸縮や折れ曲がり等による故障の発生を防止することができる収納キャビネットを提供することにある。
【課題を解決するための手段】
【０００７】
課題を解決するための手段は、正面に開口部を有する箱形状の本体と、この本体の前記開口部に対して前後動する可動体と、前記本体と前記可動体とを施錠および解錠する電気錠とを備えている収納キャビネットにおいて、
前記本体には発光装置が設けられており、前記可動体の一部には前記発光装置からの発光をこの可動体の正面側に導く導光路が設けられていることを特徴とする。
【発明の効果】
【０００８】
前記した手段によれば、導光路は発光装置と光学的に接続しているが、機械的には接続していないことにより、可動体の一部を光らせるために必要な電気配線等の機械的な構造物が本体と可動体との間に配線せずに済むので、その電気配線等の伸縮や折れ曲がり等のによる故障が発生するのを防止することができる。
【発明を実施するための最良の形態】
【０００９】
以下、本発明の一実施の形態を図面に即して説明する。
【００１０】
図１に示されているように、本実施の形態に係る収納キャビネット１０は、直方体箱形状に形成された本体１１を備えており、本体１１の正面には全面にわたって開口部１２が形成されている。本体１１の開口部１２には三本の桟１３、１３、１３が上下方向に等間隔に配されてそれぞれ水平に架設されており、最上段の桟１３は本体１１の天井壁の下面に当接されている。
【００１１】
本体１１内における三本の桟１３、１３、１３の間のそれぞれには、可動体としての引出し１４が三台、前後方向に引き出し自在に収納されている。
引出し１４は正面視の形状が上下の桟１３、１３と本体１１の両側壁とが画成した長方形であり、平面視の形状が本体１１の平面形状と小さめに略相似する長方形である直方体箱形状に形成されており、その天井壁が全面にわたって開口されている。
そして、三台の引出し１４、１４、１４は書類等（図示せず）を上面開口から挿入して、収納することができるように構成されている。
引出し１４の前板１５における左右方向の中心線には、引出し１４を引き出すための把手１６が上下方向の中心線よりも上側に配されて設置されており、把手１６の真上には緊急時に手動操作で解錠するための錠前１７が設置されている。
【００１２】
図２〜図５に示されているように、錠前１７は所謂シリンダ錠によって構成されており、鍵穴１８に鍵（図示せず）を挿入されて回動されることによって施錠および解錠されるよう構成されている。錠前１７の回動軸１９にはクランク形状に形成された閂２０が直交するように配されて固定されており、閂２０は施錠時には垂直姿勢になり、解錠時には水平姿勢になるように設定されている。
【００１３】
本体１１側における錠前１７の真上には電気錠２２が配置されて、本体１１に敷設された桟１３の下面にボルトナット２１によって固定されている。
電気錠２２は直方体箱形状に形成されたハウジング２３と、ハウジング２３内に収納されたシリンダ錠（図示せず）と、このシリンダ錠の片脇に連接されて電気的な操作によってシリンダ錠を駆動する電動アクチュエータ（図示せず）と、電動アクチュエータに電力を供給する電気配線を備えている。電気配線はハウジング２３の一側面に取り付けられた保護チューブ２４に挿通されて外部に引き出されている。
電気錠２２のシリンダ錠の作動軸にはフック２５が連結されている。フック２５は錠前１７の閂２０に係合することによって施錠状態になり、閂２０との係合を解除することによって解錠状態になるように構成されている。フック２５にはトリガ２６が連結されており、トリガ２６は閂２０に突合することによってフック２５をロックするように構成されている。
電気錠２２は常時が施錠状態になるように構成されている。すなわち、電動アクチュエータに通電されていない状態で施錠になり、電動アクチュエータに通電されると、解錠するように構成されている。
【００１４】
電気錠２２のハウジング２３の正面壁におけるフック２５に干渉しない部位には、発光装置としてのＬＥＤ（発光ダイオード）３０が装備されており、ＬＥＤ３０は光を前方に向かって水平かつ電気錠２２の中心線と平行の方向に照射するように構成されている。
ＬＥＤ３０には電力を供給する電気配線（図示せず）が接続されており、電気配線は保護チューブ２４に挿通されて外部に引き出されている。
本実施の形態においては、ＬＥＤ３０は緑色光３１を照射するように構成されており、電気錠２２が解錠した時に緑色光３１を照射するように構成されている。
【００１５】
可動体としての引出し１４の前板１５におけるＬＥＤ３０の光軸上には前後で一対の透孔４０、４０が開設されており、透孔４０、４０には導光路部材としての導光路棒４１が空間を挟んで水平かつＬＥＤ３０の光軸と可及的に一致するように架設されている。つまり、ＬＥＤ３０と導光路棒４１とは光学的には接続しているが、機械的には非接続になっている。
導光路棒４１はＬＥＤ３０からの発光を前板１５の正面側に導く導光路を構成する丸棒形状に形成されている。すなわち、導光路棒４１はアクリルやポリプロピレン等の透光性を有する樹脂またはガラスが使用されて、ＬＥＤ３０の緑色光３１を透過させるとともに、内部を透過する緑色光３１を外周の境界面において全反射して前板１５の正面側に全て導くように構成されている。
【００１６】
導光路棒４１の前端部には半球形状のレンズ部４２が形成されており、レンズ部４２は前板１５の正面において前方に突出されている。光を屈折させる屈折部の一例であるレンズ部４２は、導光路棒４１を透過して来た緑色光３１を前方の全方位に拡散させるように構成されている。
【００１７】
次に、以上の構成に係る収納キャビネット１０の作用を説明する。
【００１８】
通常の収納状態においては、収納キャビネット１０の引出し１４は電気錠２２によって施錠された状態になっている。この際には、ＬＥＤ３０は消灯している。
【００１９】
収納キャビネット１０の引き出したい引出し１４の電気錠２２に解錠信号が電気配線を通じて入力されると、フック２５が電動アクチュエータによって解錠作動されることにより、フック２５が錠前１７の閂２０との係合を解除するために、指定された引出し１４は引き出し可能な状態になる。
【００２０】
フック２５が係合を解除すると、ＬＥＤ３０に電力が供給されるため、ＬＥＤ３０は緑色光３１を照射する。
ＬＥＤ３０から照射された緑色光３１は導光路棒４１の内部を透過して前板１５の正面側のレンズ部４２に導かれ、レンズ部４２によって前方の全方位に拡散されるようにして前方に照射する。
このようにして緑色光３１がレンズ部４２から照射されると、レンズ部４２は緑色に輝いたように視認される状態になる。この際には、緑色光３１はレンズ部４２によって前方の全方位に拡散されるようにして前方に照射するために、レンズ部４２は引出し１４の全方位から視認可能な状態になる。
【００２１】
その後に、収納キャビネット１０の引出し１４が閉じられると、本体１１側に配置された電気錠２２のフック２５が引出し１４側に配置された閂２０に自動的に係合することにより、電気錠２２は施錠状態になる。
フック２５が係合すると、ＬＥＤ３０への電力の供給が停止されるために、ＬＥＤ３０は緑色光３１の照射を停止する。
緑色光３１の照射が停止すると、導光路棒４１のレンズ部４２が輝きを停止するために、引出し１４は施錠状態になったことを視認することができる。
【００２２】
前記実施の形態によれば、次の効果が得られる。
【００２３】
1)  本体にＬＥＤを設置し、可動体である引出しの前板にＬＥＤからの発光を前板の正面側に導く導光路棒を機械的に非接続に設置することにより、電気配線等の機械的な構造物を本体と引出しとの間に配線せずに済むために、その電気配線等の伸縮や折れ曲がり等のによる故障が発生するのを未然に防止することができる。
【００２４】
2)  引出しの前板に導光路棒をＬＥＤとは機械的に非接続に設置する簡単な加工で済むために、施錠状態および解錠状態を視認することができる収納キャビネットの製造コストを低減させることができる。
【００２５】
3)  ＬＥＤを電気錠に一体的に組み付けることにより、施錠状態および解錠状態を視認することができる収納キャビネットの組立工数を低減することができるとともに、ＬＥＤの点灯作動および消灯作動を電気錠の施錠作動および解錠作動に容易に連動させることができるので、施錠状態および解錠状態を視認することができる収納キャビネットの製造コストおよびランニングコストを低減させることができる。
【００２６】
4)  導光路をガラスや透光性樹脂を使用した導光路棒によって構成することにより、ＬＥＤからの発光を前板の正面側に導く導光路を安価に得ることができる。
【００２７】
5)  導光路棒の前端部に導光路棒を透過して来たＬＥＤの発光を前方の全方位に拡散させるレンズ部を形成するとともに、レンズ部を前板の正面において前方に突出させることにより、レンズ部の輝きを収納キャビネットの全方位から視認することができるので、引き出しが可能な引出しを何処からでも認識することができる。
【００２８】
6)  発光装置としてＬＥＤを使用することにより、小型軽量化することができるとともに、消費電力を低減させることができる。
【００２９】
図６〜図８は本発明の他の実施の形態を示している。
【００３０】
本実施の形態に係る収納キャビネットが前記実施の形態に係る収納キャビネットと抜本的に異なる点は、可動体が扉体によって構成されている点である。
すなわち、図６に示されているように、本実施の形態に係る収納キャビネット１０Ａは、直方体箱形状に形成された本体１１Ａを備えており、本体１１Ａの正面には全面にわたって開口部１２Ａが形成されている。本体１１Ａの開口部１２Ａには二本の縦桟１３Ａ、１３Ａが水平方向に等間隔に配されてそれぞれ垂直に架設されており、一方の縦桟１３Ａは本体１１Ａの側壁の内面に当接されている。
【００３１】
本体１１Ａの開口部１２Ａにおける二本の縦桟１３Ａ、１３Ａの片脇には、可動体としての扉体１４Ａが二枚、それぞれ前後方向に開閉自在に建て込まれており、各扉体１４Ａの縦桟１３Ａの反対側端部は本体１１Ａに水平面内で回動自在に枢支されている。
そして、本体１１Ａの各扉体１４Ａの内側には複数枚の棚板（図示せず）が水平に架設されており、各棚板は書類等を保管することができるように構成されている。
扉体１４Ａの縦桟１３Ａの近傍には、扉体１４Ａを開閉するための把手１６Ａが上下方向の中心線よりも下側に配されて設置されており、把手１６Ａの真下には緊急時に手動操作で解錠するための錠前１７Ａが設置されている。
【００３２】
図７および図８に示されているように、錠前１７Ａは所謂シリンダ錠によって構成されており、鍵穴１８Ａに鍵（図示せず）を挿入されて回動されることによって施錠および解錠されるよう構成されている。錠前１７Ａの回動軸１９Ａにはクランク形状に形成された閂２０Ａが直交するように配されて固定されており、閂２０Ａは施錠時には水平姿勢になり、解錠時には垂直姿勢になるように設定されている。
【００３３】
本体１１Ａ側における錠前１７Ａの片脇には電気錠２２Ａが配置されて、本体１１Ａの縦桟１３Ａの側面にボルト２１Ａによって固定されている。
電気錠２２Ａは直方体箱形状に形成されたハウジング２３Ａと、ハウジング２３Ａ内に収納されたシリンダ錠（図示せず）と、このシリンダ錠の片脇に連接されて電気的な操作によってシリンダ錠を駆動する電動アクチュエータ（図示せず）と、電動アクチュエータに電力を供給する電気配線を備えている。電気配線は縦桟１３Ａの一側面に敷設された保護カバー２４Ａ内に引き出されている。
電気錠２２Ａのシリンダ錠の作動軸にはフック２５Ａが連結されている。フック２５Ａは錠前１７Ａの閂２０Ａに係合することによって施錠状態になり、閂２０Ａとの係合を解除することによって解錠状態になるように構成されている。フック２５Ａにはトリガ２６Ａが連結されており、トリガ２６Ａは閂２０Ａに突合することによってフック２５Ａをロックするように構成されている。
電気錠２２Ａは常時が施錠状態になるように構成されている。すなわち、電動アクチュエータに通電されていない状態で施錠になり、電動アクチュエータに通電されると、解錠するように構成されている。
【００３４】
電気錠２２Ａのハウジング２３Ａの正面壁におけるフック２５Ａに干渉しない部位には、発光装置としてのＬＥＤ（発光ダイオード）３０が装備されており、ＬＥＤ３０は光を前方に向かって水平かつ電気錠２２Ａの中心線と平行の方向に照射するように構成されている。
ＬＥＤ３０には電力を供給する電気配線（図示せず）が接続されており、電気配線は保護カバー２４Ａ内に引き出されている。
本実施の形態においては、ＬＥＤ３０は緑色光３１を照射するように構成されており、電気錠２２Ａが解錠した時に緑色光３１を照射するように構成されている。
【００３５】
可動体としての扉体１４ＡのＬＥＤ３０の光軸上には前後で一対の透孔４０、４０が開設されており、一方の透孔４０の内面には導光路部材としての導光路板４３が透孔４０を塞ぐように固定されている。すなわち、導光路板４３はＬＥＤ３０と空間を挟んで対向し、ＬＥＤ３０と光学的には接続しているが、機械的には非接続の状態になっており、ＬＥＤ３０からの発光を扉体１４Ａの正面側に導く導光路を構成している。導光路板４３はガラスや透光性樹脂が使用されて板形状に形成されており、ＬＥＤ３０の緑色光３１を透過するように構成されている。
【００３６】
導光路板４３の前端部には屈折部４４が形成されており、屈折部４４は透孔４０内において露出されている。屈折部４４は導光路板４３を透過して来た緑色光３１を前方の全方位に散乱させるように構成されている。
【００３７】
次に、以上の構成に係る収納キャビネット１０Ａの作用を説明する。
【００３８】
通常の収納状態においては、収納キャビネット１０Ａの扉体１４Ａは電気錠２２Ａによって施錠された状態になっている。この際には、ＬＥＤ３０は消灯している。
【００３９】
収納キャビネット１０Ａの開きたい扉体１４Ａの電気錠２２Ａに解錠信号が電気配線を通じて入力されると、フック２５Ａが電動アクチュエータによって解錠作動されることにより、フック２５Ａが錠前１７Ａの閂２０Ａとの係合を解除するために、指定された扉体１４Ａは引き出し可能な状態になる。
【００４０】
フック２５Ａが係合を解除すると、ＬＥＤ３０に電力が供給されるため、ＬＥＤ３０は緑色光３１を照射する。
ＬＥＤ３０から照射された緑色光３１は導光路板４３の内部を透過して扉体１４Ａの正面側の屈折部４４に導かれ、屈折部４４によって前方の全方位に散乱する。
このようにして緑色光３１が屈折部４４から散乱すると、導光路板４３は緑色に輝いたように視認される状態になる。この際には、緑色光３１は屈折部４４によって前方の全方位に散乱するために、導光路板４３は扉体１４Ａの全方位から視認可能な状態になる。
【００４１】
その後に、収納キャビネット１０Ａの扉体１４Ａが閉じられると、本体１１Ａ側に配置された電気錠２２Ａのフック２５Ａが扉体１４Ａ側に配置された閂２０Ａに自動的に係合することにより、電気錠２２Ａは施錠状態になる。
フック２５Ａが係合すると、ＬＥＤ３０への電力の供給が停止されるので、ＬＥＤ３０は緑色光３１の照射を停止する。
緑色光３１の照射が停止すると、導光路板４３の屈性部４４が輝きを停止するために、扉体１４Ａは施錠状態になったことを視認することができる。
【００４２】
以上説明した通り、本実施の形態においても、前記実施の形態と同様の効果を得ることができる。
【００４３】
なお、本発明は前記実施の形態に限定されるものではなく、その要旨を逸脱しない範囲で種々に変更が可能であることはいうまでもない。
【００４４】
例えば、発光装置としては、ＬＥＤを使用するに限らず、電球等を使用してもよい。
また、発光装置は電気錠に一体的に組み付けるに限らず、電気錠とは別体に構成して、引出しや扉体のより一層視認し易い位置に設置するように構成してもよい。
さらに、発光装置は緑色光を照射するように構成するに限らず、赤色光や青色光、黄色光および白色光等を照射するように構成してもよいし、複数の色の可視光を照射するように構成してもよい。
【００４５】
導光路部材としては、導光路棒や導光路板を使用するに限らず、光ファイバ等を使用してもよい。
導光路部材として光ファイバを使用する場合には、透過光を減衰させることなく屈曲して導くことができるために、発光装置の発光を光軸上に限らず、引出しや扉体における正面側の任意の位置に導くことができる。
また、導光路部材は無色透明に構成するに限らず、緑色や赤色、青色および黄色等の有色透明に構成してもよい。特に、発光装置が白色光を照射するように構成されている場合には、導光路部材によって任意の色に着色することができる。
【００４６】
また、導光路は導光路棒や導光路板および光ファイバ等の導光路部材によって構成するに限らず、引出しの前板や扉体に開設した透孔自体によって構成してもよい。
すなわち、透孔は発光装置の発光を透過することができるので、導光路を構成することができる。導光路を透孔によって構成した場合には、導光路棒や導光路板および光ファイバ等のような導光路部品を省略することができるので、部品点数や加工工数および組立工数を低減することができる。
【００４７】
導光路を設ける可動体は、引出しや片開きの扉体に限らず、両開きの扉体等であってもよい。
【００４８】
前記実施の形態においては、便宜上、三段の引出しを具備した収納キャビネットおよび二枚の扉体を具備した収納キャビネットについて説明したが、実際には、これらの収納キャビネットが複数台ずつ設置されたり、各収納キャビネットにおいて引出しや扉体が増加されたりする。
【図面の簡単な説明】
【００４９】
【図１】本発明の一実施の形態である収納キャビネットを示す正面図である。
【図２】引出しを少し開いた状態の主要部を示す斜視図である。
【図３】（ａ）は扉体側および本体側の主要部を示す正面図であり、（ｂ）は本体側の主要部を示す正面図である。
【図４】（ａ）は主要部を示す側面断面図、（ｂ）は導光路棒の部分を示す側面断面図である。
【図５】主要部を示す平面断面図である。
【図６】本発明の他の実施の形態である収納キャビネットを示す正面図である。
【図７】（ａ）は主要部を示す一部切断正面図であり、（ｂ）は同じく側面断面図である。
【図８】（ａ）は主要部を示す平面断面図、（ｂ）は導光路板の部分を示す平面断面図である。
【符号の説明】
【００５０】
１０…収納キャビネット、１１…本体、１２…開口部（正面開口）、１３…桟、１４…引出し（可動体）、１５…前板、１６…把手、１７…錠前、１８…鍵穴、１９…回動軸、２０…閂、２１…ボルトナット、２２…電気錠、２３…ハウジング、２４…保護チューブ、２５…フック、２６…トリガ、３０…ＬＥＤ（発光装置）、３１…緑色光（発光）、４０…透孔、４１…導光路棒（導光路部材）、４２…レンズ部（屈折部）。
１０Ａ…収納キャビネット、１１Ａ…本体、１２Ａ…開口部（正面開口）、１３Ａ…縦桟、１４Ａ…扉体（可動体）、１６Ａ…把手、１７Ａ…錠前、１８Ａ…鍵穴、１９Ａ…回動軸、２０Ａ…閂、２１Ａ…ボルト、２２Ａ…電気錠、２３Ａ…ハウジング、２４Ａ…保護カバー、２５Ａ…フック、２６Ａ…トリガ、３０…ＬＥＤ（発光装置）、３１…緑色光（発光）、４０…透孔、４３…導光路板（導光路部材）、４４…屈折部。
【図１】
2006312816.tif 000003
【図２】
2006312816.tif 000004
【図３】
2006312816.tif 000005
【図４】
2006312816.tif 000006
【図５】
2006312816.tif 000007
【図６】
2006312816.tif 000008
【図７】
2006312816.tif 000009
【図８】
2006312816.tif 000010